(57)【要約】  無線通信における取得パイロットの生成及び処理を促進するためのシステム及び方法が提供される。タイミング及び周波数同期情報、無線システム取得及びシステム決定情報を伝送する取得パイロットは、擬似ランダム系列で変調される。システム決定情報を伝送する取得パイロットによって搬送される情報のＲビットは、アクセス・ポイントから送信されるスーパーフレームのシステム・タイミングと関連したカウンタ・インデックスを伝送するＴビットで増大される。Ｔビットの追加から生ずる処理オーバーヘッドは、無線通信に与えられる利点によって相殺される。顕著な利点は次のものを含む：（ｉ）非同期動作の間の特定のセクタの通信のための受信機における処理利得、（ｉｉ）カウンタ・フィールド値によるパケット境界決定、及び（ｉｉｉ）通信のために使用される種々の擬似ランダム・レジスタの初期化。
2010507999.tif 000002
【特許請求の範囲】
【請求項１】
無線通信システムにおいて取得パイロットを生成するための方法であって、
Ｎビットの情報の取得パイロットを生成すること、そこにおいて、情報のＴビットはカウンタ・インデックスに対応する、Ｎ及びＴは正の整数である、
前記取得パイロットを伝送すること、
を備える方法。
【請求項２】
前記Ｔビット・カウンタ・インデックスは送信されるスーパーフレームのカウントを示す請求項１の方法。
【請求項３】
前記Ｔビット・インデックスは、前記スーパーフレーム・インデックスのＴの最下位に対応する請求項１の方法。
【請求項４】
前記無線通信システムが非同期モードで動作する場合に第１のスーパーフレームから第２のスーパーフレームに変化する変調系列を生成するために前記Ｔビット・カウンタ・インデックスを使用することをさらに備える請求項１の方法。
【請求項５】
擬似雑音に対する初期化シードの一部として前記Ｔビット・カウンタ・インデックスを使用することをさらに備える請求項１の方法。
【請求項６】
データ・スクランブリング・レジスタに対する初期化シードの一部として前記Ｔビット・カウンタ・インデックスを使用することをさらに備える請求項１の方法。
【請求項７】
セクタ識別子スクランブリング・レジスタに対する初期化シードの一部として前記Ｔビット・カウンタ・インデックスを使用することをさらに備える請求項１の方法。
【請求項８】
サブキャリア・ホッピング・レジスタに対する初期化シードとして前記Ｔビット・カウンタ・インデックスを使用することをさらに備える請求項１の方法。
【請求項９】
Ｍのスーパーフレームで制御チャネル・パケットを伝送すること、及び前記Ｔビット・カウンタ・フィールドがＭを法とした所定の値である時間を識別することを通じてパケット境界を確立することをさらに備え、そこにおいて、Ｍは２Ｔ＝Ｍを満足する正の整数である請求項１の方法。
【請求項１０】
前記取得パイロットは、時間ドメイン・ウオルシュ・アダマール系列、ゴールド系列、ライス系列、ゴロム系列、Ｍ系列、擬似雑音系列、又は一般化されたチャープ状系列のうちの少なくとも１つである請求項１の方法。
【請求項１１】
前記取得パイロットはシステム決定情報を伝送する請求項１の方法。
【請求項１２】
セクタ識別子情報を伝送する異種の取得パイロット内で搬送される情報で取得パイロットをスクランブルすることをさらに備える請求項１の方法。
【請求項１３】
前記異種の取得パイロットは、時間ドメイン・ウオルシュ・アダマール系列、ゴールド系列、ライス系列、ゴロム系列、Ｍ系列、擬似雑音系列、又は一般化されたチャープ状系列のうちの少なくとも１つである請求項１２の方法。
【請求項１４】
前記取得パイロットを伝送することは、前記取得パイロットにおいて情報のＮビットのうちのＱビットを伝送するために直交符号を選択すること、及び擬似ランダム・スクランブリング系列を生成するために残りのＮ−Ｑビットを使用すること、及びさらに、前記スクランブリング系列で前記直交符号をスクランブリングすることを含む請求項１の方法。
【請求項１５】
前記Ｔビット・カウンタ・インデックスにおけるビットの数は４である請求項１の方法。
【請求項１６】
無線通信システムにおいて動作する装置であって、
取得パイロット系列を生成するように構成された少なくとも１つのプロセッサと、そこにおいて変調された情報の一部分はスーパーフレーム送信に関連したカウンタ・フィールド値を含む、
及び、前記少なくとも１つのプロセッサに結合されたメモリと、を備える装置。
【請求項１７】
前記カウンタ・フィールド値はＴビットによって決定される請求項１６の装置。
【請求項１８】
前記プロセッサは、擬似雑音レジスタ、データ・スクランブリング・レジスタ、セクタ・スクランブリング・レジスタ、セクタ・ホッピングレジスタ、又はサブキャリア・ホッピング・レジスタのうちの１つを初期化するためにカウンタ・フィールド値を利用するようにさらに構成される請求項１６の装置。
【請求項１９】
前記取得パイロット系列は、ウオルシュ・アダマール系列、ゴールド・コード、又は擬似雑音系列、ライス系列、ゴロム系列、Ｍ系列、擬似雑音系列、又は一般化されたチャープ状系列のうちの少なくとも１つである請求項１６の装置。
【請求項２０】
前記第２の変調擬似ランダム系列は、セクタ取得を行なうために情報を変調する、前記系列の初期化シードはセクタ識別子に依存する請求項１６の装置。
【請求項２１】
前記取得パイロット系列は、システム決定を行なうために情報を変調する請求項１６の装置。
【請求項２２】
前記取得パイロット系列における変調された情報は、異種の取得パイロット系列における情報のＧビットでスクランブルされる、Ｇは正の整数である請求項２１の装置。
【請求項２３】
前記異種の取得パイロット系列は、セクタ識別子を搬送する請求項２２の装置。
【請求項２４】
前記異種の取得パイロット系列は、ウオルシュ・アダマール系列、ゴールド・コード、又は擬似雑音系列、ライス系列、ゴロム系列、Ｍ系列、擬似雑音系列、又は一般化されたチャープ状系列のうちの少なくとも１つである請求項２２の装置。
【請求項２５】
システム決定情報のＮビット及び無線通信システム・スーパーフレーム・インデックスのＴビットを搬送する第１の取得パイロット系列を生成するための手段と、
前記第１の取得パイロット系列において搬送される情報で第２の取得パイロット・シーケンスをスクランブルするための手段と、
前記第１及び第２の取得パイロット系列を伝送するための手段と、を備える無線通信装置。
【請求項２６】
シンボル及び符号のランダム生成に対する複数のレジスタを初期化するためにシステム・スーパーフレーム・インデックスのＴビットの値を利用するための手段をさらに備える請求項２５の無線通信装置。
【請求項２７】
前記無線通信システム時間が非同期モードで動作する場合に異種の擬似ランダム系列を伝送するための手段をさらに備える請求項２５の無線通信装置。
【請求項２８】
情報のＮビットを備える取得パイロット系列を少なくとも１つのコンピュータに生成させるための符号と、そこにおいて情報のＴビットはカウンタ・フィールド値に対応する、
及び前記取得パイロットを前記少なくとも１つのコンピュータに伝送させるための符号を備えるコンピュータ読取り可能媒体を備えるコンピュータ・プログラム製品。
【請求項２９】
無線通信システムにおける取得パイロットを処理するための方法であって、
複数のパイロット取得系列を受信すること、
及びシステム決定情報を抽出するために前記複数のパイロット取得系列を処理すること、を備える方法。
【請求項３０】
前記受信された複数のパイロット取得系列は、時間ドメイン・ウオルシュ・アダマール系列、ゴールド系列、ライス系列、ゴロム系列、Ｍ−系列、擬似雑音系列、又は周波数ドメイン一般化されたチャープ状系列のうちの少なくとも１つを含む請求項２９の方法。
【請求項３１】
複数のパイロッド取得系列を受信することは、スーパーフレーム・インデックスに関連したＴビット・カウンタ・インデックスを受信することを含む、Ｔは正の整数である請求項２９の方法。
【請求項３２】
前記複数のパイロット取得系列を処理することは、前記パイロット取得系列を生成するために利用可能な複数の系列のそれぞれと相関することを含む請求項２９の方法。
【請求項３３】
前記パイロット取得系列を生成するために利用可能な複数の系列のそれぞれと相関することは、受信されたウオルシュ・アダマールに対してアマダール変換を、そして指数関数の受信された系列に対してフーリエ変換を使用することを含む請求項３１の方法。
【請求項３４】
前記パイロット取得系列を生成するために利用可能な複数の系列のそれぞれを相関することは、受信された指数関数の符号系列に対してフーリエ変換を使用することを含む請求項３１の方法。
【請求項３５】
前記複数のパイロット取得系列を処理することは、異種のパイロット取得系列から復号された情報でパイロット取得系列をデスクランブルすることを含む請求項２９の方法。
【請求項３６】
パイロット取得系列をデスクランブルすることは、スクランブリング系列に対するシードを生成するために前記受信されたＴビット・カウンタ・インデックスを使用すること、及び前記パイロット取得系列で送信された情報をデスクランブルするために前記スクランブリング系列を利用することを含む請求項３５の方法。
【請求項３７】
Ｍスーパーフレームで制御チャネル・パケットを受信すること、及び前記Ｔビット・カウンタ・フィールダはＭを法とする所定の値である時間を識別することを通じて前記パケット境界を決定することをさらに備えており、そこにおいてＭは２Ｔ＝Ｍを満足する正の整数である請求項２９の方法。
【請求項３８】
前記複数のパイロット取得系列を処理することは、検知性能を改良するために複数のスーパーフレーム上でパイロット系列を結合することを含む請求項２９の方法。
【請求項３９】
複数のパイロット取得変調系列を少なくとも１つのコンピュータに受信させるための符号と、
及びシステム決定情報を抽出するために前記複数のパイロット取得変調系列を前記少なくとも１つのコンピュータに復号させるための符号と、を備えるコンピュータ読取り可能媒体を備えるコンピュータ・プログラム製品。
【請求項４０】
前記コンピュータ読取り可能媒体は、受信されたウオルシュ・アマダール系列に対するアマダール変換及び受信された指数関数符号系列に対するフーリエ変換を前記少なくとも１つのコンピュータに行なわせるための符号をさらに備える請求項３５のコンピュータ・プログラム製品。
【請求項４１】
前記コンピュータ読取り可能媒体は、異種のパイロット取得系列から復号された情報でパイロット取得系列をデスクランブルすることを前記少なくとも１つのコンピュータに行なわせるための符号をさらに備える請求項３５のコンピュータ・プログラム製品。
【請求項４２】
システム決定情報及び無線通信システム・スーパーフラーム・インデックスのＴビットを搬送するパイロット取得系列を受信し、前記パイロット取得系列を処理し、そして前記情報を抽出するように構成された少なくとも１つのプロセッサと、
及び前記少なくとも１つのプロセッサに結合されたメモリと、を備える無線通信装置。
【請求項４３】
前記パイロット取得系列は、時間ドメイン・ウオルシュ・アダマール系列、ゴールド系列、ライス系列、ゴロム系列、Ｍ−系列、擬似雑音系列、又は周波数ドメイン一般化されたチャープ状系列のうちの少なくとも１つである請求項４２の無線通信装置。
【請求項４４】
前記システム決定情報及び前記スーパーフレーム・インデックスのＴビットは、異種のパイロット取得系列によって搬送されるセクタ識別子情報でスクランブルされる請求項４２の無線通信装置。
【請求項４５】
前記情報を抽出することは、前記系列を複数の符号仮説と相関させることに先立ってアダマール変換又はフーリエ変換を行なうことを含む請求項４２の無線通信装置。
【請求項４６】
無線システム・スーパーフレーム・インデックスの前記Ｔビットは、前記スーパーフレーム・インデックスのＴ最低位ビットに対応する請求項４２の無線通信装置。
【請求項４７】
前記パイロット取得系列を処理することは、検知性能を改良するために複数のスーパーフレーム上に前記パイロット取得系列を蓄積することを含む請求項４２の無線通信装置。
【請求項４８】
前記情報を抽出することは、スーパーフレーム・インデックスの前記Ｔビットと関連したカウンタがＭを法としてゼロである、そこにおいてＭは２Ｔ＝Ｍを満足する正の整数である、時間における識別を通して受信パッケト境界を決定することを含む請求項４２の無線通信装置。
【請求項４９】
無線通信環境で動作する装置であって、
連続したパイロット及び制御変調系列を受信するための手段と、
処理利得を実現するために前記変調系列を処理するための手段と、
及び、前記受信変調系列のパケット境界を決定するための手段と、を備える装置。
【請求項５０】
連続したパイロット及び制御変調系列を受信するための手段は、前記受信系列のうちの１つ又はそれより多くをデスクランブルするための手段を含む請求項４３の装置。
【請求項５１】
前記変調系列を複数の符号系列仮説と相関させるための手段をさらに備える請求項４４の装置。
【発明の詳細な説明】
【技術分野】
【０００１】
下記の記述は、一般的には無線通信に関し、さらに詳細には、付加的なマルチ・ビット・フィールドの包含を通じて増強された通信機能性を提供する取得パイロット（acquisition pilots）の生成に関する。
【背景技術】
【０００２】
移動体通信ネットワーク（例えば、携帯電話ネットワーク）内で情報を送信のために利用される技術は、周波数分割、時分割及び符号分割ベースの技術を含む。一般に、周波数分割ベースの技術では、呼は周波数アクセス法に基づいて、分割され、各呼は個別の周波数上に置かれる。時分割ベースの技術では、各呼は、指定の周波数上の時間のある部分を割り当てられる。符号分割ベースの技術では、各呼は独自符号に関連されかつ利用可能な周波数上に分散される。それぞれの技術は、１人又は複数のユーザによる複数回のアクセスに適応することができる。
【０００３】
さらに詳細には、周波数分割ベースの技術、典型的には、スペクトルを帯域幅の一様なチャンク（chunks）に分割することによりスペクトルを個別のチャネルにスペクトルを分ける、例えば、無線携帯電話通信に割り付けられた周波数帯域は、３０のチャネルに分割することができ、それらのチャネルのそれぞれが、音声会話を伝送することができ、あるいは、デジタル・サービスで、デジタル・データを伝送できる。各チャネルは一度に１人のユーザだけに割り当てることができる。１つの一般に利用される変形は、全システム帯域幅を複数の直交サブバンドに効果的に分割する直交周波数分割技術である。これらのサブバンドは、トーン、キャリア、サブキャリア、ビン及び周波数チャネルとも呼ばれる。各サブバンドは、データで変調されうるサブキャリアに関連している。時分割ベースの技術では、帯域は時間的に分割されて連続するタイム・スライス（time slices）又はタイム・スロット（time slots）とされる。チャネルの各ユーザは、ラウンドロビン方式（round-robin manner）で情報を送信するため及び受信するためのタイム・スライスを与えられる。例えば、任意の所定の時間ｔにおいて、ユーザは、短いバーストのためのチャネルへのアクセスを与えられる。その後、アクセスは、情報を送信しかつ受信するための時間の短いバーストを与えられた他のユーザに切替わる。「交代でする」（taking turns）周期は継続し、事実上、各ユーザは複数の送信及び受信バーストを与えられる。
【０００４】
符号分割ベースの技術は、典型的には、１つ範囲において任意の時間で利用可能な多数の周波数でデータを送信する。一般に、データはデジタル化され、利用可能な帯域幅上に拡散され、そこでは、複数のユーザがそのチャネル上にオーバーレイ（overlaid）されることができ、そして、各ユーザは特有の系列符号を割当てられる。ユーザは、スペクトルの同じ広帯域チャンク（chunk）で送信することができ、そこでは各ユーザの信号はそのそれぞれの独自の拡散符号によって全帯域幅にわたって拡散できる。この技術は、共有を提供することができ、そこでは１人又はそれ以上のユーザが同時に送信しかつ受信できる。そのような共有は、拡散スペクトラム・デジタル変調によって達成することができ、そこではユーザのビットのストリームは、符号化され、そして擬似ランダム方法で非常に広いチャネルを横切って拡散される。受信機は、特定のユーザに対するビットを首尾一貫した方法（coherent manner）で収集するために、関連した独自の系列符号を認識しかつランダム化をもとに戻すように設計される。
【０００５】
典型的な無線通信ネットワーク（例えば、周波数分割、時分割及び符号分割技術を使用する）は、カバレージ・エリア（coverage area）を提供する１つ又は複数の基地局と、そのカバレージ・エリア内でデータを送信及び受信できる１つ又は複数のモバイル（例えば、無線）端末を含む。典型的な基地局は、ブロードキャスト、マルチキャスト、及び／又はユニキャスト・サービスのために複数のデータ・ストリームを同時に送信することができ、この場合、１つのデータ・ストリームは、モバイル端末に対して独自の受信興味（independent reception interest）がありうるデータの流れである。その基地局のカバレージ・エリア内のモバイル端末は、複合ストリームによって搬送される１つの、１つより多い、又は全部のデータ・ストリームを受信することに興味がありうる。同様に、モバイル端末は、基地局又は他のモバイル端末にデータを送信することができる。アクセス・ポイントとモバイル端末の間の又はモバイル端末間のこのような通信は、端末がカバレージ・セクタ（coverage sector）にサーブしている（serving）基地局を「取得した」（"acquired"）後で生じうる。典型的には、取得処理において、１つの端末は、サービング基地局と通信するために必要なシステム情報アクセスする。端末が特定のパターンのないセクタに入ったり出たりすると、そのセクタによって取得情報が頻繁に送信される。後者は、無線システムに大きなオーバーヘッドを課する。したがって、遍在するオーバーヘッドとは無関係に取得処理をより効果的にする取得機構を開発する必要性が技術的に存在する。
【発明の概要】
【０００６】
下記は、開示された実施の形態のいくつかの態様についての基本的な理解を提供するために簡略された概要を提示する。この概要は、広範な概観ではなく、また重要な又は決定的な要素を識別することも、そのような実施の形態の範囲を画定することも、意図されない。それの目的は、記述される実施の形態のいくつかの概念を、後で提示されるさらに詳細な記述への前置きとして簡略化された形式で提示することである。
【０００７】
１つの態様では、無線通信システムにおいて取得パイロットを生成するための方法であって、情報のＮビットの取得パイロットを生成すること、そこにおいて、情報のＴビットはカウンタ・インデックスＮに対応し、Ｎ及びＴは正の整数である、及び取得パイロットを伝送することを備える方法が開示される。
【０００８】
他の態様では、本開示は、無線通信システムで動作する装置であって、取得パイロット系列を生成するように構成された少なくとも１つのプロセッサ、そこにおいて変調された情報の一部分がスーパーフレーム送信と関連されたカウンタ・フィールド値を含む、及び前記少なくとも１つのプロセッサに結合されたメモリを備える装置を記述する。
【０００９】
さらに他の態様では、システム決定情報のＮビット及び無線通信システムスーパーフレーム・インデックスのＴビットを搬送する第１の取得パイロット系列を生成するための手段；第１の取得パイロット系列において搬送される情報で第２の取得パイロット系列をスクランブルするための手段；及び第１及び第２の取得パイロット系列を伝送するための手段を備える無線通信装置が開示される。
【００１０】
他の態様では、本明細書は、情報のＮビットを含む取得パイロット系列を少なくとも１つのコンピュータに生成させるための符号、そこにおいて情報のＴビットはカウンタ・フィールド値に対応する；及び取得パイロットを少なくとも１つのコンピュータに伝送させるための符号を備えたコンピュータ読取り可能媒体を備えるコンピュータ・プログラム製品を開示する。
【００１１】
取得パイロットに関連して無線送信を受信すること及びそれを処理することに関して、１つの態様では、無線通信システムにおける取得パイロットを処理するための方法であって、複数のパイロット取得系列を受信すること；及びシステム決定情報を抽出するために前記複数のパイロット取得系列を処理することを備える方法が開示される。
【００１２】
他の態様では、複数のパイロット取得変調系列を少なくとも１つのコンピュータに受信させるための符号；及びシステム決定情報を抽出するために前記複数のパイロット取得変調系列を少なくとも１つのコンピュータに復号させるための符号を備えたコンピュータ読み取り可能媒体を備えるコンピュータ・プログラム製品。
【００１３】
さらに他の態様では、システム決定情報及び無線通信システム・スーパーフレーム・インデックスのＴビットを搬送するパイロット取得系列を受信し、前記パイロット取得系列を処理し、そして前記情報を抽出するように構成された少なくとも１つのプロセッサ；及び前記少なくとも１つのプロセッサに結合されたメモリを備える無線通信装置が開示される。
【００１４】
他の態様では、無線通信環境において動作する装置であって、連続したパイロット及び制御変調系列を受信するための手段、処理利得を実体化するために変調系列を処理するための手段；及び受信変調系列のパケット境界を決定するための手段を備える装置。
【００１５】
上記の及び関係するもく目的の達成のために、１つ又は複数の実施の形態は後で詳細に記述されかつ請求項で詳細に指摘される特徴を備える。下記の説明及び添付図面は、ある例示的な態様を詳細に開示しかつ実施の形態の原理が使用されうる種々の方法のうちのいくつかだけを示す。他の利点及び新規な特徴は、図面に関連して考察される場合に下記の詳細な説明から明らかとなるであろう、そして、開示された実施の形態はそのような全ての態様及びそれらの等価物を含むように意図されている。
【図面の簡単な説明】
【００１６】
【図１】図１はここに記述される種々の態様による無線多元接続通信システムを例示する。
【図２】図２は、本革新の種々の態様による取得パイロットの生成及び処理を促進するシステムのブロック図である。
【図３】図３は、ＴＤＤ及びＦＤＤ順方向リンク通信スーパーフレームの例示の時間領域構造、及び関連したスーパーフレーム・プリアンブル構造の概略図である。
【図４】図４は、本開示の態様によってセクタ取得及びシステム決定を行なうアクセス端末における処理利得を例示する概略図である。
【図５】図５は、本明細書の１つの態様によるパケット境界検知利点を例示する。
【図６】図６は、ここに開示される１つの態様によって種々のシフトレジスタを初期化するためにカウンタ・インデックス・レジスタを利用することを示す概略図である。
【図７】図７は、ここに記述される種々の態様に従って取得パイロットを生成する方法の流れ図を提示する。
【図８】図８は、本明細書の１つの態様によって取得パイロットを処理する例示の方法の流れ図を示す。
【図９】図９は、ここに記述される１つ又は複数の態様に従ってセル／セクタ通信に提供するマルチプルインプット・マルチプルアウトプット・オペレーション配備における送信機システム及び受信機システムの実施の形態のブロック図である。
【図１０】図１０は、本明細書に記述される種々の態様に従って取得パイロットを受信しかつ処理するシステムのブロック図である。
【図１１】図１１は、ここに記述される種々の態様に従って無線通信環境において取得パイロットを生成しそしてその生成されたパイロットを搬送するシステムのブロック図である。
【図１２】図１２は、本開示の態様に従って無線通信において取得パイロット生成の生成を可能にする例示システムのブロック図を示す。
【図１３】図１３は、本開示の態様に従って無線システムにおいて取得パイロット変調系列処理を可能にする例示システムのブロック図を示す。
【詳細な説明】
【００１７】
全体にわたって同様の数字は同様の要素を指している図面を参照して種々の実施の形態がここで記述される。下記の記述では、説明の目的のためとして、１つ又は複数の実施の形態についての完全な理解を提供するために、多数の具体的詳細が記述される。しかし、そのような実施形態は、これらの具体的詳細がなくても実施されうることが明白であるかも知れない。他の事例では、１つ又は複数の実施の形態の記述を容易にするために、公知の構造及びデバイスがブロック図の形で示されている。
【００１８】
本出願で使用されるように、用語「コンポーネント」、「モジュール」、「システム」、等は、コンピュータ関連エンテイテイ、ハードウェア、ファームウェア、ハードウェアとソフトウェアの組合わせ、ソフトウェア、又は実行中のソフトウェアを指すように意図されている。例えば、コンポーネントは、プロセッサ上で走るプロセス、プロセッサ、オブジェクト、実行可能、実行のスレッド、プログラム、及び／又はコンピュータであってもよいが、そうであることに限定されない。例示として、計算装置上で走るアプリケーション及び演算装置は両方ともコンポーネントであってもよい。１つ又は複数のコンポーネントが実行のプロセス及び／又は実行のスレッド内に存在することができ、また、１つコンポーネントが１つのコンピュータに集中されてもよく及び／又は２つ又はそれより多いコンピュータ間に分配されてもよい。さらに、これらのコンポーネントは、種々のデータ構造を格納した種々のコンピュータ読取り可能媒体から実行することができる。コンポーネントは、１つ又は複数のデータ・パケット（例えば、局部システム、分配システムにおける他のコンポーネントと及び／又はインターネットのようなネットワークを横切って他のシステムと信号によって対話する１つのコンポーネントからのデータ）を有する信号に従ってローカル及び／又は遠隔のプロセスによって通信してもよい。
【００１９】
さらに、用語「又は」（"or"）は、排他的な「又は」ではなくて、包括的な「又は」を意味するように意図されている。すなわち、別段に特定されていない場合や、文脈から明瞭でない場合には、「ＸはＡ又はＢを使用する」は、自然な包括的な置換のうちの何れをも意味するように意図されている。すなわち、ＸはＡを使用する、ＸはＢを使用する、又はＸはＡとＢの両方を使用するであれば、「ＸはＡ又はＢを使用する」は上記の事例の何れでも満足される。さらに、本出願及び添付請求項で使用される冠詞「１つの」（"a"及び"an"）は、別段の指定がなされない場合又は単数形に関することが文脈から明らかでない場合には、一般に「１つ又は複数の」（"one or more"）を意味するように解釈されるべきである。
【００２０】
種々の実施形態が、無線端末に関連して、ここに記述される。無線端末は、ユーザに音声及び／又はデータ接続を提供する装置を指してもよい。無線端末は、ラップトップ・コンピュータ又はデスクトップ・コンピュータのような計算装置に接続されてもよく、あるいは、携帯情報端末（ＰＤＡ）のような内蔵型の装置であってもよい。無線端末はまた、システム、加入者装置、加入者局、移動局、移動体、遠隔局、アクセス・ポイント、遠隔端末、アクセス端末、ユーザ端末、ユーザ・エージェント、ユーザ・デバイス又は顧客宅内装置と呼ぶことができる。無線端末は、加入者局、無線デバイス、携帯電話、ＰＣＳ電話、コードレス電話、セッション設定プロトコル（ＳＩＰ）電話、無線ローカル・ループ（ＷＬＬ）ステーション、携帯情報端末（ＰＤＡ）、無線接続能力を有するハンドヘルド装置、又は無線モデムに接続された他の処理装置であってもよい。
【００２１】
基地局（例えば、アクセス・ポイント）は、無線端末と、１つ又は複数のセクタを通じて、エアー・インターフェース上で通信するアクセス・ネットワーク内の装置を指してもよい。基地局は、受信されたエアー・インターフェース・フレームをＩＰパケットに変換することにより、無線端末とＩＰネットワークを含んでもよいアクセス・ネットワークの残部との間のルータとして作用してもよい。基地局はまた、エアー・インターフェースのための属性の管理を調整する。さらに、種々の実施の形態が、基地局に関連してここに記述される。基地局は、モバイルデバイスと通信するために利用されてもよく、また、アクセス・ポイント、ノードＢ、エボルブド（evolved）ノードＢ（ｅＮｏｄｅＢ）、又はある他の用語として呼ばれてもよい。
【００２２】
以下において、無線通信における取得パイロットの生成及び処理を容易にするためのシステム及び方法が論述される。タイミング及び周波数同期情報、無線システム取得及びシステム決定情報を搬送する取得パイロットは、近似ランダムシステム列（pseudorandom sequences）で変調される。システム取得情報を搬送する取得パイロットによって搬送される情報の多くのビットは、アクセス・ポイントから送信されるスーパーフレームのシステム時間と関連したカウンタ・インデックス値（counter index value）を搬送するＴビットで増大される。Ｔビットの追加から生ずる処理オーバーヘッドは、無線通信に与えられた利点によって相殺される。下記のように、顕著な利点は、
（ｉ）非同期動作の間に特定のセクタとの通信のために受信機の利得を処理すること、（ｉｉ）カウンタ・インデックス値によるパケット境界決定、及び（ｉｉｉ）通信のために使用される近似ランダム・レジスタの初期化を含む。
【００２３】
図面を参照すると、図１は、本明細書に開示された種々の態様による無線多元接続通信システム１００の図解である。１つの例では、無線多元接続通信システム１００は、複数の基地局１１０及び複数の端末１２０を含んでいる。さらに、１つ又は複数の基地局１１０は、１つ又は複数の端末１２０と通信することができる。非限定の例として、基地局１１０は、アクセス・ポイント、ノードＢ、及び／又は他の適切なネットワーク・エンテイテイであってもよい。各基地局１１０は、特別の地理的なエリア１０２ａ−１０２ｃに対する通信カバレージを提供する。ここで及び技術的に一般に使用されるように、用語「セル」は、その用語が使用される文脈に応じて、基地局１１０及び／又はそれのカバレージ・エリア１０２ａ−１０２ｃを意味してもよい。
【００２４】
システム容量を改善するために、基地局１１０に対応するカバレージ・エリア１０２ａ、１０２ｂ、又は１０２ｃは、複数の小エリア（例えば、エリア１０４ａ、１０４ｂ及び１０４ｃ）に分割されてもよい。小エリア１０４ａ、１０４ｂ及び１０４ｃのそれぞれは、各ベース・トランシーバ・サブシステム（ＢＴＳ、図示なし）によってサーブ（served）されうる。ここにおいてかつ技術的に一般に使用されるように、用語「セクタ」は、その用語が使用される文脈に応じて、ＢＴＳ及び／又はそれのカバレージを指してもよい。１つの例では、セル１０２ａ、１０２ｂ、１０２ｃにおけるセクタ１０４ａ、１０４ｂ、１０４ｃは、各グループのアンテナがセル１０２ａ、１０２ｂ、１０２ｃの一部分における端末１２０との通信を請合う基地局１１０におけるアンテナのグループ（図示なし）によって形成することができる。例えば、セル１０２ａにサーブする基地局１１０は、セクタ１０４ａに対応する第１のアンテナ・グループ、セクタ１０４ｂに対応する第２のアンテナ・グループ、及びセクタ１０４ｃに対応する第３のアンテナ・グループを有してもよい。しかし、ここに開示される種々の態様は、セクタ化された及び／又はセクタ化されていないセルを有するシステムで使用されてもよいことが認識されるべきである。さらに、任意の数のセクタ化された及び／又はセクタ化されていないセルを有する適切な無線通信ネットワークはすべて、ここに添付された請求項の範囲以内に入るように意図されていることが認識されるべきである。簡単のために、ここで使用される用語「基地局」は、セクタにサーブする局とセルにサーブする局の両方を指してもよい。ここに使用されるように、非連結リンク・シナリオ（disjoint link scenario）におけるダウンリンク・セクタは隣接セクタ（neighbor sector）であることが認識されるべきである。下記の記述は、簡単のために、各端末が１つのサービング・アクセス・ポイントと通信するシステムに一般に関係するが、複数の端末が任意の数のサービング・アクセス・ポイントと通信してもよいことが認識されるべきである。
【００２５】
１つの態様によれば、端末１２０はシステム１００の全体にわたって分散してもよい。各端末１２０は、固定又は移動体であってもよい。非限定の例として、端末１２０は、アクセス端末（ＡＴ）、移動局、ユーザ装置、加入者局、及び／又は、他の適切なネットワーク・エンテイテイであってもよい。端末は１２０、無線デバイス、携帯電話、携帯情報端末（ＰＤＡ）、無線モデム、ハンドヘルド・デバイス、又は他の適切なデバイスであってもよい。さらに、端末１２０は、所定の瞬間において任意の数の基地局１１０と通信してもよいし、あるいは無基地局１１０とは通信しなくてもよい。
【００２６】
他の例では、システム１００は、１つ又は複数の基地局１１０に結合できかつ基地局１１０に対する調整及び制御を提供できるシステム・コントローラ１３０を使用することにより集中アーキテクチャを利用することができる。他の態様によれば、システム・コントローラ１３０は、単一のネットワーク・エンテイテイ又はネットワーク・エンテイテイの集合であってもよい。さらに、システム１００は、必要に応じて基地局１１０が互いに通信できるようにするために分散アーキテクチャを利用してもよい。１つの例では、システム・コントローラ１３０は、複数のネットワークに対する１つ又は複数の接続をさらに含んでもよい。これらのネットワークは、インターネット、他のパケットベースのネットワーク、及び／又はシステム１００における１つ又は複数の基地局１１０と通信している端末１２０への及び／又はその端末１２０からの情報を提供することができる回路切替え音声ネットワーク（circuit switched voice networks）を含んでもよい。他の例では、システム・コントローラ１３０は、端末１２０への及び／又は端末１２０からの送信をスケジュールできるスケジューラ（図示なし）を含んでもよく又はそのスケジューラに結合されてもよい。あるいは、そのスケジューラは、各個々のセル１０２、各セクタ１０４、又はそれらの組合せに存在してもよい。
【００２７】
１つの例では、システム１００は、ＣＤＭＡ、ＴＤＭＡ、ＦＤＭＡ、ＯＦＤＭＡ、シングルキャリアＦＤＭＡ（ＳＣ−ＦＤＭＡ）のような１つ又は複数の多元接続スキームを利用してもよい。ＴＤＭＡは、異なる端末１２０送信が異なる時間間隔で送信することによって直交される時分割多重化（ＴＤＭ）を利用する。ＦＤＭＡは、異なる端末１２０に対する送信が異なる周波数サブキャリアで送信することにより直交される周波数分割多重化（ＦＤＭ）を利用する。１つの例では、ＴＤＭＡ及びＦＤＭＡシステムはまた、異なる直交符号（例えば、ウォルシュ・コード）を使用することによって、たとえ同じ時間間隔又は周波数副搬送波で送られても、複数の端末に対する送信が直交される符号分割多重化（ＣＤＭ）を用いてもよい。ＯＦＤＭＡは、直交周波数分割多重化（ＯＦＤＭ）を利用し、そして、ＳＣ−ＦＤＭＡは、シングルキャリア周波数分割多重化（ＳＣ−ＦＤＭ）を利用する。ＯＦＤＭ及びＳＣ−ＦＤＭは、システム帯域幅をそれぞれデータで変調できる複数の直交サブキャリア（例えば、トーン、ビン、・・・）に分割してもよい。典型的には、変調シンボルは、ＯＦＤＭでは周波数ドメインで送られ、ＳＣ−ＦＤＭでは時間ドメインで送られる。追加的に及び／又は代替的に、システム帯域幅は、それぞれ１つ又は複数のサブキャリアを含んでもよい１つ又は複数の周波数キャリアに分割することができる。システム１００はまた、ＯＦＤＭＡ及びＣＤＭＡのような多元接続スキームの組合せを利用してもよい。ここに提供される電力制御技術は、ＯＦＤＭＡシステムに対して一般に記述されるが、ここに記述される技術は、任意の無線通信システムに対しても同様に適用できることが認識されるべきである。
【００２８】
他の例では、システム１００における基地局１１０及び端末１２０は、１つ又は複数のデータ・チャネルを使用してデータを通信することができ、そして、１つ又は及び複数の制御チャネルを使用して信号（signaling）を通信できる。システム１００によって利用されるデータ・チャネルは、各データ・チャネルが任意の所与時間において１つの端末だけによって使用されるようにアクテイブ端末１２０に割当てることができる。あるいは、データ・チャネルは、データ・チャネル上に重ね合わせられ（superimposed）うる又は直角にスケジュールされ（orthogonally scheduled）うる複数の端末１２０に割当てられてもよい。システム資源を節約するために、システム１００によって利用される制御チャネルは、例えば、符号分割多重化を使用して、複数の端末１２０間で共有されてもよい。１つの例では、周波数及び時間でのみ直交多重化されたデータ・チャネル（例えばＣＤＭを使用して多重化されないデータ・チャネル）は、対応する制御チャネルよりもチャネル条件及び受信機欠陥による直交性の損失を受けにくくなりなりうる。
【００２９】
１つの態様によれば、システム１００は、例えばシステム・コントローラ１３０及び／又は各基地局１１０においてインプルメントされる（implemented）１つ又は複数のスケジューラによる集中スケジューリング（centralized scheduling）を使用できる。集中スケジューリングを利用するシステムでは、スケジューラは、適切なスケジューリング決定を行うために、端末１２０からのフィードバックに頼ることができる。１つの例では、このフィードバックは、そのようなフィードバックがそれから受信される端末１２０に対するスポート可能な逆方向リンク・ピークレートを推定すること及びシステム帯域幅をそれに応じて割当てることをスケジューラが行なえるようにするためにＯＳＩ情報に付加されたオフセットを含んでもよい。
【００３０】
図２は、端末側におけるシステム決定及び強化された機能性の提供する取得パイロットの生成及び処理を促進するシステム２００のブロック図である。アクセス・ポイント２１０は、取得パイロット生成器コンポーネント２１３によって取得パイロットを生成する。そのようなパイロットは、通信システム・スーパーフレームのプリアンブルの一部分であり、取得処理コンポーネント２４４によってそれらを処理するアクセス端末２４０に順方向リンク２３０を通して送信される。パイロットを処理すると、システム決定、例えば、（ｉ）ＦＤＭＡシステムの場合にＦＦＴによって特徴づけられるシステム帯域幅；（ｉｉ）パーフォレートされた（perforated）スペクトル割当ての場合のパーフォレーション・プロファイル（perforation profile）；（ｉｉｉ）時分割二重化（ＴＤＤ）又は周波数分割二重化（ＦＤＤ）の表示、特定のＴＤＤ分割及びＦＤＤ半二重化の他の表示を伴う（後者は順方向リンク及び逆方向リンクに対する時間ガード期間ならびに周波数ドメイン・ガード期間をさらに搬送する）；（ｉｖ）周期的なプリフィックス長さ（ＵＭＢでは、例えば、４つの値が可能である）；（ｖ）同期又は非同期動作の表示；（ｖｉ）周波数再使用；（ｖｉｉ）セクタ／セル識別；及び（ｖｉｉｉ）アクセス・ポイント（例えば、２１０）におけるアンテナ構成のような動作パラメータの識別を生ずる。情報（ｉ）−（ｖｉｉ）が取得パイロットによって搬送される態様がスーパーフレーム・プリアンブル構造に影響することが認識されるべきである。
【００３１】
取得パイロット生成器２１３の１つの態様によれば、系列生成コンポーネント２１６は、システム探索情報（ｉ）―（ｖｉｉｉ）の一部分又は全部を含むことができる一連のビットを生成する。系列は、擬似ランダム符号、擬似雑音系列、又はゴールド系列、ウォルシュ−アダマール系列、指数関数的系列、ゴロム（Ｇｏｌｏｍｂ）系列、ライス系列、Ｍ−系列、又は一般化されたチャープ状（ＧＣＬ）系列（例えば、Ｚａｄｏｆｆ−Ｃｈｕ系例）であってもよい。さらに、カウンタ生成コンポーネント２１９は、Ｔ−ビット・カウンタ（Ｔを正の整数とする）を導入する。カウンタは、取得パイロットを形成する系列に付加される。１つの態様では、カウンタは、パイロット・シンボルをスクランブルするために使用されたシード（seed）の一部になってもよい。他の態様では、Ｔ−ビット・カウンタは、Ｖビット整数を生成するために、量（ｉ）−（ｖｉｉ）のうちの１つ又はそれより多くと結合されてもよい。このＶビット整数は、２Ｖのウォルシュ・コードのうちの１つ又は２Ｖの指数関数的コードなどのうちの１つを選択するために使用することができる。カウンタを取得パイロットに付加することは通信オーバーヘッドを増加させるが、そのようなオーバーヘッドは、Ｔ−ビット・カウンタの付加によって達成される種々の性能及び機能性の利益によって相殺されることが認識されるべきである。例示の利益が下記で論述されかつ例示される。
【００３２】
系列生成コンポーネント２１３は、擬似乱数生成、ウオルシュ・アダマール系列の構成に含まれるマトリクス操作、ＧＣＬ系列の生成、ならびにレジスタを初期化すること及び生成された系列及び更新されたカウンタ値をメモリ２２５に格納することを行なうために、プロセッサ２２２に頼る。さらに、プロセッサ２２２は、系列及びカウンタ値ならびに制御及びデータを通信するのに必要なデータ操作を行なう。１つの態様では、ＦＤＭＡシステムにおいて、プロセッサ２２２は、直接／逆フーリエ変換（Ｄ／ＩＦＴ）、アダマール変換、及び系列、制御及びデータ・ストリームに対するサイクリック・プリフィックス（cyclic prefixes）の付加、ならびに直列・並列／並列・直列操作を行なう。ＣＤＭＡでは、プロセッサ２２２によってシンボルのスクランブルが実行される。プロセッサ２２２はアクセス端末２４０とのアクセス・ポイント２１０の通信に関係する他のアクションを行なうことができ、認識されるべきである、そのような追加のアクションは、当業者には容易に明白となるであろうことが認識されるべきである。メモリ２２５は、系列及びカウンタ値を生成するために、ならびに、そのような系列、制御及びデータを操作しかつ順方向リンク２３０で送信するために必要な動作のために用いられる符号命令／モジュールを格納する。例示としてであり限定ではなく、ここに記述される態様によれば、ＵＭＢにおける取得パイロットＴＤＭ２は、ＰｉｌｏｔＰＮ（セクタ識別子）又はＰｉｌｏｔＰｈａｓｅの９ビットを含んでもよく、また、取得パイロットＴＤＭ３は、ＴＤＭ２の９ビットでさらにスクランブルされるシステム決定情報（例えば、システム時間のＴビットに加えて上記の項目（ｉ）−（ｖｉｉｉ））を含んでもよい。
【００３３】
アクセス・ポイント２１０は、マルチプル直交符号の１つによって、又は初期パイロット系列の擬似ランダム・スランブリングによるような、系列が生成された態様に従って情報ビットを送信できる、例えば、２Ｇランダム・スクランブリング系列の１つを選択することによって、Ｇビットが送信されうる。さらに他の態様では、ハイブリッド手法ないでビットが送信でき、そこにおいて、ウオルシュ符号又は実質的に任意の他の符号を選択することによりＮビットが送信できる、また、２Ｐの擬似ランダム系列のうちの１つによって、選択された符号をスクランブルすることによりＰの付加ビットが送信できる。
【００３４】
アクセス端末２４０に関連して、取得処理コンポーネント２４４は、取得パイロットを検知しかつ復号する（又は復調する）。１つの態様では、いくつかの異種の直交符号（例えば、ウオルシュ・アダマール、指数関数、等）のうちの１つの選択を通じてアクセス・ポイントによって送信されたビットは、適切な直交又は非直交系列（例えば、符号仮説）のそれぞれとの相関により復号される。そのような処理は、ウォルシュ・アダマール系列に対してアダマール変換を使用することにより及び指数関数的系列に対して高速フーリエ変換を使用することにより、一般に効率的に遂行することができる。他の態様では、復号は、種々のパイロット系列をデスクランブル（descrambling）することを含んでいる。初期パイロット系列の擬似ランダム・スクランブリングを使用して送信されたビット、例えば、２９＝５１２のランダム・スクランブリング系列のうちの１つを採用することにより送信される９ビットは、このような５１２のスクランブリング系列のそれぞれでデスクランブリングすることにより復号できる。代替的に又は追加として、スクランブルされた系列を復号することは、パイロット取得系列で送信される情報をデスクランブする目的をもって、所定のシード（例えば、通信スーパーフレーム・インデックスと関連したカウンタ・インデックスのようなＴビット正整数、下記参照）で生成されたスクランブリング系列を利用することにより、達成できる。ＵＭＢにおけるＴＤＭ２及びＴＤＭ３の前記例に関連して、ＴＤＭ２の復号はウオルシュ変換を用いて行なうことができ、また、ＴＤＭ３におけるシステム情報は、ＴＤＭ３におけるシステム情報を決定するためにＴＤＭ２の情報及びウオルシュ変換を活用してデスクランブルできる。
【００３５】
取得の一部として、１つのコンポーネント、相関器２４８が、タイミング情報（例えば、スーパーフレーム、フレーム及びシンボル境界検出）、周波数同期及び他のシステム情報を抽出するために異種の系列を相関させる（一時的に）。相関器２４８は、時間的相関ならびにＩＦＦＴのような他の動作を行なうためにプロセッサ２３２に頼る。下記に論述されるように、異種の系列は、複数のスーパーフレーム上で又は単一のスーパーフレーム・プリアンブル内で受け取ることができる。ダウンリンク１６０を通じてに送られた反復系列は、相関器１２８によって検知される、また、タイミング・メトリックはプロセッサ１２４によって計算される。ムース法、ヴァン・デ・ビーンク法及びシュミーデル法のようなタイミング及び周波数同期方法は、フレーム及びサブフレーム境界ならびに周波数オフセットを評価するために、送信されるビット系列（bit series）の反復部分を有する特定の符号系列を提案する。当業者は、時間相関、スーパーフレーム、フレーム及びシンボル境界検出；ＣＰ持続期間、及び周波数同期に対して、他の方法が可能であることを認識するであろう。タイミング及び周波数同期の後で、セクタ・アイデンテイテイ及びシステム情報（例えば、帯域幅、ＴＤＤ／ＦＤＤ動作、周波数再使用）を搬送する符号系列は、アクセス端末２４０によって復調することができ（以下を参照）、そして、システム決定は完了されうる。
【００３６】
図３は、ＴＤＤ及びＦＤＤ順方向リンク通信スーパーフレームの例示の時間ドメイン構造及び関連するスーパーフレーム・プリアンブル構造の概略図３００である。ＴＤＤ及びＦＤＤ無線通信の両方において、ＦＬ通信は、スーパーフレームのユニット、又は無線フレームの単位で分割される。図示のように、スーパーフレーム（例えば、３１０又は３４０）は一連の物理層（ＰＨＹ）フレームが後続するプリアンブルを包含する。ＦＤＭＡシステム（例えばＬＴＥ、ＵＭＢ）では、プリアンブル（例えば３２０）及びフレーム（例えば、３３０１−３３０Ｋ又は３５０１−３５０Ｋ）は、典型的には、所定数のＯＦＤＭ変調シンボル（図示なし）及び無線チャネル・インパルス応答から生ずるシンボル間干渉を緩和する１つ又は複数のサイクリック・プリフィックスを搬送する。次に、スーパーフレーム構造３１０及び３４０が簡潔に記述され、そして、プリアンブル構造３２０がさらに詳細に記述される。
【００３７】
１つの態様では、ＴＤＤスーパーフレーム３１０は、プリアンブル３２０及び点在したミュート時間区間３３５を有するＫ個のフレーム３３０１−３３０Ｋを含む。逆方向リンク送信は、そのようなＦＬのミュート期間の間に生ずる。ＴＤＤスーパーフレーム３１０では、ＦＬフレームとミュート期間（又はＲＬフレーム）の比率は１：１であることが認識されるべきであるが、この比率は、値Ｍ：Ｎ値を採ることができる、そこで、Ｍ及びＮは、順次送信されるＦＬ及びＲＬフレームの数をそれぞれ決定する。ＴＤＤスーパーフレーム３１０は、Ｍ及びＮ値がスーパーフレーム内で又はスーパーフレーム間で変化できる点で適応的であることが分かる。そのような適応は、ＦＬ及びＲＬトラヒックを最適化するためにアクセス端末（又はアクセス・ネットワーク）によって使用することができる。そのような適応を利用するための表示は、スーパーフレーム・プリアンブル３２０で伝えることができる（下記参照）。ある通信用途では、トラヒックがＲＬかＦＬで主として生じうることが認識されるべきである。アクセス・ポイント（例えば、アクセス・ポイント２１０）を通じてアクセス・ネットワークからファイルをダウンロードすることは、ＦＬ集中トラヒックの例であり、他方、無線テレビ会議は、端末ユーザがデータ端の送り側にあるか受け取り側にあるかに応じて、ＦＬ又はＲＬ集中であってもよい。
【００３８】
他の態様では、ＦＤＤ ＦＬスーパーフレームは、プリアンブル３２０及びＫ‘のフレーム３５０１−３５０Ｋ’を包含する。この通信パラダイムでは、ＦＬ及びＲＬ通信が相互に干渉しないような態様で、利用可能なシステム帯域幅がＦＬ及びＲＬにおける専用の通信のために分割されるので、ミュート期間は存在しない。ガード期間は、望まれない干渉の緩和を保証する。ここに開示されるように、プリアンブル３２０の構造は、ＴＤＤの場合におけるのと実質的に同じである。しかし、ＦＤＤとＴＤＤのプリアンブルのコンテンツは異種であってもよいことは容易に明らかであろう。
【００３９】
ＴＤＤ及びＦＤＤ ＦＬスーパーフレームの両方において、プリアンブル３２０はＱのシンボル３２４１−３２４Ｑ及びＰのプリアンブル３２８１の３２８Ｐを含む。各シンボルならびに各パイロットは、プリアンブル帯域幅に応じて、１つのＯＦＤＭシンボル又は２つのＯＦＤＭシンボルに対応してもよいことが分かる。そのようなシンボルの特定の数秘学は、通信が起こる無線通信システムに依存する。１つの例として、ＵＭＢでは、シンボルは、１．２５ＭＨｚ以下の帯域幅に対するＮＷ＝２７＝１２８から１０ＭＨｚより大きく及び２０ＭＨｚより低い帯域幅に対するＮＷ＝２１１＝２０４８までの数ＮＷの等しく離間した（Δｖ＝１．９６ＭＨｚ）サブキャリアにわたる。さらに、ＵＭＢの中のＯＦＤＭシンボルの期間は、サイクリック・プリフィックス期間に依存して、１１４μｓから１３３μｓまでの範囲である。これらの値は例示目的を果たすものであり、プリアンブル構造３２０又はそれに関連する数秘学に対する限定としてその上に解釈されるべきでないことが分かる。シンボル３２４１−３２４Ｑは、チャネル評価（ＳＮＲ、ＳＩＮＲ、等のようなＣＱＩの決定）のために使用されうるパイロット及び制御チャネと、アクセス端末（例えば、アクセス端末２１０）がＦＬフレーム３３０１−３３０Ｋ又は３５０１−３５０Ｋ’に含まれる情報を復調するために利用できるコンフィギュレーション情報（configuration information）を含む。プリアンブル３２０に含まれうる他の情報は、システム帯域幅、同期／非同期動作、周波数再使用、セクタ送信機のアンテナ構成の表示のような、アクセス端末がシッステム（サブ）キャリアで通信できるようにするタイミング及び他の情報を含む。さらに、他のセクタ干渉及び電力レベル制御又は電力スペクトル密度制御の表示又は干渉緩和のためのオフセットの表示は、プリアンブル３２０で伝送されてもよい。さらに、ページング情報もスーパーフレーム・プリアンブルで搬送ができる。上記情報は、複数のプリアンブル３２０上で伝送できることが認識されるべきである。
【００４０】
１つの態様では、パイロット３２８１−３２８３は、システム決定及び取得のために使用することができる。図３を参照すると、３つのパイロットが取得パイロット：パイロット１ ３２８１、パイロット２ ３２８２及びパイロット３ ３２８３として例示されている。ここに記述される態様はが３つのパイロットで例示されているが、追加のパイロットがスーパーフレーム・プリアンブル３２０で伝送できかつシステム探索及びタイミングのために利用することができることが認識されるべきである。次に、我々は、図３に例示された取得パイロットのそれぞれを、それらの機能性を強調して、論述する。パイロット１−すべてのセクタを横切って同じままである固定系列を搬送する。パイロット１によって搬送される特定の系列は、システム帯域幅及びサイクリック・プリフィックスのような他のシステム特徴に依存する。本取得パイロットは、タイミング及び周波数同期情報を伝送する。１つの態様では、系列は周波数ドメインＧＣＬ系列に対応する。さらに、可能な系列の数Ｎｓｅｑは、プリアンブル３２０（例えば、プリアンブル帯域幅）を伝えるために使用できる帯域幅の可能な数（ｎ）とＣＰ持続期間仮説（CP duration hypothesis）の数（ｍ）の積によって指定できる。ＵＭＢでは地域幅｛１．２５ＭＨｚ、２．５ＭＨｚ、及び５ＭＨｚ｝に対応してｎ＝３，そしてｍ＝４、４つの可能なＣＰ長さ｛６．５μｓ、１３．０μｓ、２６μｓ｝。
【００４１】
パイロット２ ３２８２．−このパイロットは、セクタ特定識別のＲ２ビット、すなわちセクタ識別子のＲ２ビット、例えば、ＵＭＢでは、系列２におけるＰｉｌｏｔＮ又はＰｉｌｏｔＰｈａｓｅを搬送する。１つの態様では、そのような系列は、時間ドメイン・ウォルシュ・アダマール系列であってもよい。
【００４２】
パイロット３ ３２８３．−このパイロットは、同期／非同期配備の表示、サイクリック・プリフィックス表示、システム帯域幅、周波数再使用、セクタ内のアクセス・ポイントにおけるアンテナ情報、等に加えて、端末（例えば、２４０）がプリアンブル自体の内容を復調するために必要な情報（例えば、利用可能な帯域幅に対する中心周波数）を取得することよりなるシステム決定のために使用できる。パイロット３ ３２８３は、このような情報のＲ３ビットを、システム時間のＴビット、例えば、系列３におけるＴ−ビット・カウンタに加えて、伝送する。アクセス・ポイントがスーパーフレームを送信する場合に、ビット・カウンタが増加される。システム時間は、スーパーフレームにおけるブロードキャスト信号を送信するとアクセス・ネットワークによって測定される時間であることが認識されるべきである。１つの態様では、カウンタ値は、システム時間のＴの最下位ビット（ＬＳＢｓ）又はスーパーフレーム・インデックスとして表示されうる。Ｔ−ビットの追加は、処理オーバーヘッドを導入することができるが、下記に論述されるように、そのＴビットを追加することから得られる利益は、そのよう処理コストを相殺する。
【００４３】
１つの態様では、系列３は、パイロット２ ３２８２における情報でスクランブルされたウォルシュ−アダマール系列であってもよい。パイロット２ ３２８２はセクタ識別（例えば、ＵＭＢにおける、ＰｉｌｏｔＰＮ又はＰｉｌｏｔＰｈａｓｅ）情報を搬送するので、スクランブルされた系列３は、（ａ）系列３においてセクタ識別子が符号化される（スクランブリングによって）場合のセクタ取得、及び（ｂ）スーパーフレームを横切る系列３の実現の組合せに対して適切であることができる。項目（ｂ）は、系列がアクセス端末において（例えば、取得処理コンポーネント２４４において）時間と共に蓄積されうるので、劣悪なチャネル状態においてさえ、セクタを取得する可能性を提供する。
【００４４】
要約すると、パイロット１ ３２８１は、初期のタイミング及び周波数同期のために使用でき、パイロット２ ３２８２は、同時又は非同期のモードで、セクタ識別のために利用でき、そしてパイロット３ ３２８３は、システム決定のために使用でき、また、それは、Ｒ３＋Ｔビットの情報の変調における時間依存のスーパーフレーム対スーパーフレーム変化を回復するために使用できるＴビット・カウンタの導入を通じて増強できる。Ｔビット・カウンタにおけるＴの大きさは、通信技術（例えば、ＬＴＥ、ＵＭＢ）ならびにシングルユーサ・マルチプル−インプット・マルチプル−アウトプット（ＭＩＭＯ）又はマルチユーザＭＩＭＯ、チャネル状態（ＳＩＮＲ、ＳＢＲ）セクタが取得されている場合のローデイング・レベル及び他のセクタ干渉、等のような通信配備を取り入れるトレードオフ分析を通じて決定できることが認識されるべきである。例示かつ非限定として、ＵＭＢ通信システムでは、Ｔ＝４は、従来の取得の場合の典型的な値であるＲ２＝９ビット、Ｒ３＝５、及びＲ３＋Ｔ＝９ビットを変調するたえの合理的な付加処理オーバーヘッドを維持しながら、動作上の利益を与える。
【００４５】
図４−６を参照すると、それらは、ここに開示されるような取得パイロット内のＴ−ビット・カウンタ・インデックスを導入する有益な局面を例示する。図４は、セクタ取得及びシステム決定を行なうアクセス端末４１０で達成できる処理利得を例示する概略図４００である。端末４１０は、３つの取得パイロットを含む無線通信システムにおけるセクタ探索及びシステム決定を行ない、そこでは、少なくとも１つのパイロットはＴ−ビット増強された取得パイロットである。上述のように、無線システム・スーパーフレームのそれぞれでは、パイロット３ ３８２３は、情報のＲ３ビット、及びウォルシュ系列３で変調された、送信されたスーパーフレームを数えるＴ−ビット・カウンタ・インデックスを伝送する。系列３は、パイロット２ ３２８２に関連したセクタ識別、すなわちセクタ識別子、情報でさらにスクランブルされる。アクセス・ポイント（図示なし）は、伝送される系列のＳＩＮＲに対する変化（縦軸４０５で示された）がセクタからセクタへと変化するように、無線インタフェースを通じてスーパーフレーム４３０Ｌ−４３０Ｌ＋Ｎで対応する系列、系列３を送信する。（パイロット３）Ｌ−（パイロット）Ｌ＋Ｎとして例示される系列は、端末４１０によって受信され／復調される。系列は、カウンタ・フィールドにおける変化により時間的に変化するので、端末４１０における相関器（例えば、相関器コンポーネント２４８）は、セクタ取得及びシステム決定のために必要なＮの時間メトリックを蓄積できる。そのような蓄積は、パイロット系列の検知における爾後の改良と共に、端末４１０における正味処理利得を生ずる。
【００４６】
図５は、取得パイロット（例えば、パイロット３ ３２８３）に存在するＴ−ビット・カウンタ・フィールド・インデックスに関連した境界検知利点を例示する図５００である。その利点は、Ｍのスーパーフレーム（又はパケット）で送信される順方向の主ボロドキャスト制御チャネルで例示される（ＵＭＢではＭ＝１６であることが認識されるべきである）が、実質的に同じ利点が失し伝機に任意の制御チャネルで得られる。アクセス端末５１０は、Ｍのスーパーフレーム（例えば、５３０Ｌ、５３０Ｌ＋１、又は５３０Ｌ＋２）でＦ−ＰＢＣＣＨをたぶん相関させることができる（例えば、相関器コンポーネント２４８によって）。Ｆ−ＰＢＣＣＨを搬送するこれらのＭのスーパーフレームの高ＳＩＮＲ送信は、Ｍよりも少ないスーパーフレームにおける後続の時間境界（例えば、τＢ＋２Ｍ×ＴＳＦ５５５、ＴＳＦは１つのスーパーフレームの時間長さ）取得−パケット／フレーム／シンボルが始まる／終わる時間の決定と共に、系列相関によって、検知及び復号を生ずる。図５では、Ｍのスーパーフレームでの送信のＳＩＮＲは、明瞭さの目的のために、時間非依存であると考えられていることが分かるが、当業者は、ＭのスーパーフレームのＳＩＮＲは時間依存性であることに気づくであろう。
【００４７】
制御情報がＭ−スーパーフレーム間隔で送信されるので、それは、システム時間のＴビットを有するカウンタ・インデックス、すなわちＭ＝２Ｔを満足するスーパーフレーム・インデックスを確立するのに十分でありうる。後の関係は、カウンタ・フィールドのレジスタ又は周期が、本制御チャネルの相関を与えることができる最小のダイバーシテイと考えられうるフレームの数に等しいことを示す。そのような場合では、Ｔ−ビット・カウンタ・フィールドのヌル値（null value）（Ｍを法とする）が決定される、例えば、τＢ５４０、τＢ＋Ｍ×ＴＳＦ５４５、τＢ＋２Ｍ×ＴＳＦ５５５、τＢ＋３Ｍ×ＴＳＦ５６５である場合に、アクセス・ポイント（図示なし）は異種のＦ−ＰＢＣＣＨの送信の間に境界を確立できる。送信／パケット間の境界を確立するためには、実質的に任意の所定の値（Ｍを法とする）が使用されうることが認識されるべきである。そのような事例では、新しいＦ−ＰＢＣＣＨパケットが始まる。検知に関して、Ｔビット・カウンタがＭを法とするゼロ又はＴビット・カウンタ・インデックスに達すると、Ｆ−ＰＢＣＣＨのような、受信された制御チャネル・パケットに対する時間境界を決定できる。ＵＭＢにおけるＦ−ＰＢＣＣＨでは、システム時間のＴ＝４ビットは、制御チャネルを相関させるのに十分でありうる。
【００４８】
図６は、無線通信シシテムにおいて使用されうる種々のシフト・レジスタを初期化するためのＴビット・カウンタ・フィールドの利用を示す概略図６００である。変調系列２に対するシード（seed）を確立するためにパイロット２  ３２８２のセクタ識別子（図２）が使用できるのと同様の態様で、他のレジスタがカウンタ・フィールダにおけるＴビットで初期化されうる。１つの態様では、疑似雑音レジスタ６１０は、シード「ａＴａＴ−１．．．ａ２ａ１ａ０」で初期化されうる。Ｔの大きさは、レジスタ６１０のメモリ長さ、すなわちすなわち周期を決定することができる。スクランブリング符号レジスタも初期化されうる。例えば、データ・スクランブリング符号６２０及びセクタＩＤスクランブリング符号６３０は、それぞれ、シード「ｂＴｂＴ−１・・・ｂ２ｂ１ｂ０」６２５及び「ｃＴｃＴ−１・・・ｃ２ｃ１ｃ０」６３５を有する。Ｔの小さい値では、初期化シードは、セクタ識別子シードのような大きいシードと結合又は連結されうることが認識されるべきである。そのような場合では、特定のセクタに対しては、カウンタ・シードは、カウンタ・フィールドの時間に対する依存性により異種のデータ及びセクタ識別子スクランブリング符号を生成することができる。サブキャリア・ホッピング・レジスタ６４０の場合には、擬似ランダム・シリーズの周期は、スクランブリング符号におけるそれよりはるかに小さくてもよい（例えば、６２０及び６３０）。サブキャリア・ホッピングでは、少数のビットを有するシード「ｄＴｄＴ−１・・・ｄ２ｄ１ｄ０」６４５は周波数ダイバーシテイを達成するには満足できる。１つの態様では、４ビット・シードは周期１６の近似ランダム系列を生じ、そして、そのような場合には、ホッピング・パターンが１６スーパーフレームごとに反復する。１つの態様では、ＵＭＢにおいて、スーパーフレームは２５のフレームを包含し、従って、スーパーフレーム内のフレームにラベルを付けるフレーム・インデックスとカウンタ・インデックスのＴビットを連結する場合、１６のスーパーフレームは、２５×１６＝４００のホッピング実現に到達することができる。さらに、そのような連結したインデックスは、追加のホッピング／スクランブリング実現を達成するためにＯＦＤＭシンボル・インデックスを組込むようにさらに拡張することができる。そのような反復パターンは、複数のユーザの存在においてさえ、ＦＬ波形全体を復調することを促進することができる。ホッピング・パターンの場合には、１つのセクタにおいて複数のル端末がサーブされるときに、ウォルシュ・アダマールのような直交系列の利用が干渉効果を緩和することができる。フレームからフレームへと及びおそらくＯＦＤＭシンボルからＯＦＤＭシンボルへさえ変化するホッピング及びスクランブリングは、ホッピング及び／又はスクランブリング・レジスタを初期化するために、スーパーフレーム内のフレーム・インデックス又はフレーム内のＯＦＤＭシンボル・インデックスを利用することができる。
【００４９】
上記に示されかつ記述された例示のシステムを考慮すると、開示された主題に従ってインプルメントされうる方法論は、図７及び８の流れ図を参照してさらに良く認識されるであろう。説明の簡単のために、方法論は一連のブロックとして示されかつ記述されるが、いくつかのブロックは、ここに示されかつ記述されるのとは異なる順序で及び／又は他のブロックと同時的に生じてもよいので、請求された主題は、ブロックの数や順序によって限定されないことが理解されかつ認識されるべきである。さらに、後述する方法論をインプルメントするために、例示のブロックがすべて必要とされなくてもよい。ブロックに関連する機能性は、ソフトウエア、ハードウエア、それらの組合せ又は他の適切な手段（例えば、デバイス、システム、プロセス、コンポーネント・・・）によってインプルメント（implemented）されうることが認識されるべきである。さらに、後でまた本明細書全体にわたって開示される方法論は、そのような方法論を種々のデバイスに輸送又は転送することを促進するための製造品に格納されうることが認識されるべきである。当業者は、１つの方法論は、状態図におけるように、一連の相互に関連した状態又は事象として択一的に表されてもよいことを理解しかつ認識するであろう。
【００５０】
図７は、取得パイロットを生成するための例示の方法の流れ図を示す。ステップ７１０において、取得パイロットが通信スーパーフレーム・プリアンブルの一部として生成される。１つの態様では、取得パイロットは無線通信システムにおけるすべてのセクタに共通であり、また、パイロットは、ザドフ−チュー（Zadoff-Chu）系列のような一般化されたチャープ状（Chirp-like）のタイプの周波数ドメイン系列であってもよい。その系列は、タイミング及び周波数同期のための情報を搬送する。７２０において、セクタ識別子のＮビットを使用する取得パイロットが生成される。１つの態様では、パイロット系列は時間ドメイン直交ウォルシュ・アダマール系列である。他の態様では、ＵＭＢにおいて、Ｎ＝９であり、それは５１２までのセクタ識別符号を伝送できる。ステップ７３０において、取得パイロットは、帯域幅、サイクリック・プリフィックス、アクセス・ポイントにおけるアンテナ構成、等のようなシステム情報を含むシステム決定情報のＱビットを用いて生成される。パイロットで使用されるＱビットのうちのＴビットがカウンタ・インデックスを表わす。いったんスーパーフレームが生成されると、Ｔ−ビット・カウンタ・インデックスは更新することができる。１つの態様では、パイロット系列は時間ドメイン直交ウォルシュ・アダマール系列であってもよい。しかし、ゴールド、最大の長さ及び指数関数的系列のような他の系列も変調に適していることが認識されるべきである。他の態様では、システム情報のＱビットは、異種の取得パイロット（例えば、アクト７２０において生成されたパイロットのＮビット）の情報のビットでスクランブルされてもよい。ステップ７４０において、取得系列は無線インターフェースを通して伝送される。ビットは、複数の符号（例えば、ウォルシュ・アダマール、ゴールド、指数関数、等）のうちの１を使用することにより送信することができ、あるいは、ビットは、既存のパイロットの擬似ランダム・スクランブリングにより送信することができる。
【００５１】
図８はシステム決定のために取得パイロットを処理のための例示の方法の流れ図に８００を示す。８１０において、第１、第２及び第３の取得パイロット系列が受信される。１つの態様では、系列はアクセス・ポイント（例えば２１０）における取得パイロット生成器（例えば、コンポーネント２１３）によって生成することができる。他の態様では、系列は、２４０のようなアクセス端末における取得処理コンポーネント（例えば、コンポーネント２４４）で受信することができる。ステップ８２０において、取得パイロット系列は処理される。処理プロトコルは、第１の系列がパイロットを生成するために使用される１つのセットの符号系列のそれぞれとの相関によって（例えば、相関器コンポーネント２４８によって）復号され、そして、タイミング情報及び周波数同期が抽出されるような態様で、オペレータによって予め確立されうる。技術において典型的であるように、タイミング及び同期取得は、システム帯域幅の狭い（例えば、１．２５ＭＨｚ）中央帯域で起こる。１つの態様では、狭い取得帯域は、取得系列の処理中に考慮されるべきサブキャリア（ＯＦＤＭにおける）の数を決定し、そのような数は通常、計算されるフーリエ変換項の数と一致する。ＤＦＴ及びＩＦＴは、受信アクセス端末におけるプロセッサ（例えば、プロセッサ２４２）を通じてインプルメントされうる。いったん第１の系列が処理されると、第２の取得パイロットが解読される。１つの態様では、第２の系列セクタ識別子のＮビットに対し、信号は、Ｎビットによって与えられるセクタ仮説に関連した２Ｎの系列の各１つとパイロット系列を相関させることにより復号されうる。他の態様では、第２の取得パイロットがウォルシュ・アダマール系列に対応する場合には、アダマール変換はパイロットを復号する前に適用され、系列が指数関数的符号系列のうちの１つである場合には、フーリエ変換は復号に先立って適用される。一度、系列は復号される（例えば、取得処理コンポーネント２４４及びプロセッサ２４８によって）。取得系列の処理の後続の部分において、第２の系列から抽出された情報は第３のパイロット取得系列を復号するために使用される。１つの態様では、第３のパイロット系列は、第２のパイロット系列の情報のＮビットでスクランブルされることができ、そのような場合には、第２の系列を処理する時間において復号された情報は、第３のパイロット系列をデスクランブルするために使用され、そして続いて、前記系列を生成するために使用された符号に従って、第３の系列が相関を通じて復号される。ステップ８３０において、システム情報が復号されたパイロット系列から抽出される。
【００５２】
図９は、ここに記述される１つ又は複数の態様による無線通信環境においてセル／セクタ通信を提供できるマルチプルインプット・マルチプルアウトプット（ＭＩＭＯ）システムの送信機システム９１０（アクセス・ポイント２１０のような）及び受信機システム９５０（例えば、アクセス端末２４０）の実施の形態のブロック図９００である。送信機システム９１０において、多数のデータ・ストリームに対するトラヒック・データが、データ処理装置９１４を送信するために（ＴＸ）データ送信装置９１２から提供されうる。１つの実施の形態では、各データ・ストリームはそれぞれの送信アンテナを通して送信される。ＴＸデータ処理装置９１４は、各データ・ストリームに対するトラヒック・データを、符号化されたデータを提供するためにそのデータ・ストリームに対して選択された特定の符号化スキームに基づいて、フォーマット化し、符号化し、そしてインターリーブする。各データ・ストリームに対する符号化されたデータは、ＯＦＤＭ技術を使用してパイロット・データで多重化されてもよい。パイロット・データは通常、公知の態様で処理されかつチャネル・レスポンスを評価するために受信機システムにおいて使用されうる既知のデータ・パターンである。その後、各データ・ストリームに対する多重化されたパイロット及び符号化されたのデータは、変調シンボルを提供するためにそのデータ・ストリームに対して選択された特定の変調スキーム（例えば、二位相偏移変調（ＢＰＳＫ）、四位相偏移変調（ＱＰＳＫ）、多位相偏移変調（Ｍ−ＰＳＫ）、又はm次直交振幅変調（M-QAM））に基づいて変調される。各データ・ストリームに対するデータ転送速度、符号化及び変調は、プロセッサ９３０によって実行される命令によって決定されてもよく、命令ならびにデータはメモリ９３２に格納されてもよい。
【００５３】
その後、すべてのデータ・ストリームに対する変調シンボルは、ＴＸ ＭＩＭＯプロセッサ９２０に提供され、そのプロセッサはさらに変調シンボルをさらに処理してもよい（例えば、ＯＦＤＭ）。その後、ＴＸ  ＭＩＭＯプロセッサ９２０は、ＮＴ変調シンボル・ストリームをNTトランシーバ（TMTR／RCVR）９２２Ａ−９２２Ｔに提供する。ある実施の形態では、ＴＸ ＭＩＭＯプロセッサ９２０は、データ・ストリームのシンボル及びシンボルが送信されているアンテナにビームフォーミング重み（又は予備符号化）を適用する。各トランシーバ９２２は、１つ又は複数のアナログ信号を提供するために各記号ストリームを受信しかつ処理し、そして、ＭＩＭＯチャネルでの送信に適した変調信号を提供するためにアナログ信号をさらに調整する（例えば、増幅する、フィルタする、及びアップコンバートする）。その後、トランシーバ９２２A−９２２ＴからのＮＴの変調信号は、ＮＴのアンテナ９２４１−９２４Ｔからそれぞれ送信される。受信機システム９５０において、送信された変調信号は、ＮＲのアンテナ９５２１−９５２Rによって受信され、そして、各アンテナ９５２からの受信信号は、各トランシーバ（ＲＣＶＲ／ＴＭＴＲ）９５４Ａ−９５４Rに提供される。各トランシーバ９５４１−９５４Ｒは、各受信信号を調整し（例えば、フィルタする、増幅する、及びダウンコンバートする）、サンプルを提供するためにその調整された信号をデジタル化し、そしてさらに対応する「受信された」シンボル・ストリームを提供するためにそのサンプルを処理する。
【００５４】
その後、ＲＸデータ処理装置９６０は、ＮＴの「検知された」シンボル・ストリームを提供するために特定の受信機処理技術に基づいてＮＲのトランシーバ９５４１−９５４ＲからＮＲの受信シンボル・ストリームを受信しかつ処理する。その後、ＲＸデータ処理装置９６０は、データ・ストリームに対するトラヒック・データを回復するために、各検知されたシンボル・ストリームを復調し、デインターリーブし（deinterleaves）、そして復号する。ＲＸデータ処理装置９６０による処理は、送信機システム９１０におけるＴＸ  ＭＩＭＯプロセッサ９２０及びＴＸデータ処理装置９１４によって行なわれるそれと相補的である。プロセッサ９７０は、どの予備符号化マトリックスを使用するか周期的に決定し、そのようなマトリックスはメモリ９７２に格納されうる。プロセッサ９７０は、マトリックス・インデックス部分及びランク値部分を含む逆方向リンク・メッセージを公式化する（formulates）。メモリ９７２は、プロセッサ９７０によって実行された場合に逆方向リンク・メッセージの公式化を生ずる命令を格納してもよい。その逆方向リンク・メッセージは、通信リンク又は受信データ・ストリームあるいはそれの組合せに関する種々のタイプの情報を含んてもよい。１つの例として、そのような情報は、調節された通信リソース、スケジュールされたリソースを調節するためのオフセット、及びデータ・パケット・フォーマットを復号するための情報を含むことができる。その後、その逆方向リンク・メッセージは、ＴＸデータ処理装置９３８によって処理され、そのプロセッサはまた、変調器９８０によって変調され、トランシーバ９５４Ａ−９５４Ｒによって調整され、そして送信機システム９１０に送信して戻される、データ・ソース９３６からの多数のデータ・ストリームに対するトラヒック・データを受信する。
【００５５】
送信機システム９１０において、受信機システム９５０からの変調信号は、アンテナ９２４１−９２４Ｔによって受信され、トランシーバ９２２Ａ−９２２Ｔによって調整され、復調器９４０によって復調され、受信機システム９５０によって送信された逆方向リンク・メッセージを抽出するためにＲＸデータ・プロセッサ９４２によって処理される。その後、プロセッサ９３０は、ビームフォーミング重みの決定のためにどの予備符号化マトリックスを使用するかを決定し、そして抽出されたメッセージを処理する。
【００５６】
動作のシングルユーザMIMOモードは、図９に示されているように、及び上記の動作に従って、単一の受信機システム９５０が送信機システム９１０と通信する場合に対応する。そのようなシステムでは、ＮＴの送信機９２４１−９２４Ｔ（さらにＴＸアンテナとして知られている）及びＮＲの受信機９５２１−の９５２Ｒ（さらにＲＸアンテナとして知られている）は、無線通信のためのマトリックス・チャネル（例えばレーリー・チャネル、又はガウス・チャネル）を形成する。ＳＵ−ＭＩＭＯチャネルは、ランダム複素数のＮＲ×ＮＴマトリックスによって記述される。チャネルのランクは、ＮＲ×ＮＴチャネルの代数のランクと等しい。空間・時間又は空間・周波数符号化において、ランクは、チャネル上に送られるデータストリーム、すなわち層の数と等しい。ランクは高々ｍｉｎ｛ＮＴ、ＮＲ｝と等しいことが認識されるべきである。ＮＴの送信アンテナとNRの受信アンテナによって形成されたＭＩＭＯチャネルは、NVの独立のチャネル（空間チャネルとも呼ばれる）に分解されてもよく、その場合、NV≦ｍｉｎ｛ＮＴ、ＮＲ｝である。ＮＶの独立したチャネルの各々は１つの次元に対応する。
【００５７】
１つの態様では、トーンωにおける、ＯＦＤＭに対して送信／受信されたシンボルは、
ｙ（ω）＝Ｈ（ω）ｃ（ω）＋ｎ（ω）          （１）
によってモデル化されうる。ここで、ｙ（ω）は受信データ・ストリームでありかつＮＲ×１ＮＲ×１ベクトルであり、Ｈ（ω）はトーンωにおけるチャネル・レスポンスNR×NTマトリックス（例えば、時間依存チャネル・レスポンス・マトリックスｈのフーリエ変換）であり、ｃ（ω）はＮT×１出力シンボル・ベクトルであり、そしてｎ（ω）はＮＲ×１雑音ベクトル（例えば、加法性白色ガウス雑音）である。予備符号化は、NV×１層ベクトルをNT×１予備符号化出力ベクトルに変換できる。ＮＶは、送信機９１０によって送信されるデータ・ストリーム（層）の実際の数であり、また、ＮＶは、チャネル条件及び端末によって報告されるランクに少なくとも一部分基づいて送信機（例えば、アクセス・ポイント２５０）の指示でスケジュールされてもよい。ｃ（ω）は、少なくとも１つの多重化スキーム、及び送信機によって適用される少なくとも１つの予備符号化（又はビームフォーミング）スキームの結果である。さらに、ｃ（ω）は、送信機９１０が各データ・ストリームNVを送信するために割当てる電量の量を決定する電力利得マトリックスでコンボリュート（convoluted）される。そのような電力利得マトリックスは、アクセス端末２４０に割当てられるリソースであってもよく、また、それは、ここに記述されるようにオフセットの調節を通じて管理されてもよいことが認識されるべきである。無線チャネルのＦＬ／ＲＬ相互性（reciprocity）を考慮して、MIMO受信機９５０からの送信は、実質的に同じ要素を含み、式（１）の形でモデル化されてもよいことが認識されるべきである。さらに、受信機９５０はまた、逆方向リンクでデータを送信する前に呼び符号化スキームを適用することができる。
【００５８】
システム９００（図９）では、ＮＴ＝ＮＲ＝１である場合に、そのシステムは、ここに記述される１つ又は複数の態様による無線通信環境においてセクタ通信を提供できるシングルインプット・シングルアウトプット（ＳＩＳＯ）システムになる。
【００５９】
図１０は、ここに記述される種々の態様による無線通信環境において取得パイロットを受信しかつ処理する例示のシステム１０００のブロック図である。１つの例では、システム１０００はアクセス・端末１００２を含んでいる。図示のように、アクセス端末１００２は、１つ又は複数のアクセス・ポイント１００４から信号を受信し、そして、アンテナ１００８によって１つ又は複数の基地局１００４へ送信することができる。さらに、アクセス・端末１００２は、アンテナ１００８から情報を受信する受信機１０１０、または実質的に任意の他の電子的器具を含むことができる。１つの例では、受信機９１０は、受信情報を復調する復調器（Ｄｅｍｏｄ）９１２と動作的に関連されてもよい。その後、復調されたシンボルは、プロセッサ１０１４によって分析することができる。プロセッサ１０１４は、アクセス端末１００２に関係するデータ及び／又はプログラムを格納できるメモリ１０１６に結合されてもよい。さらに、アクセス端末１００２は、方法論７００、８００及び／又は他の適切な方法論を実行するために、プロセッサ１０１４、又は実質的に任意の他の電子的器具を使用してもよい。アクセス端末１００２はまた、送信機１０２０によりアンテナ１００８を通じて１つ又は複数のアクセス・ポイント１００４に送信するための信号を多重化できる変調器１０１８を含んでもよい。
【００６０】
図１１は、ここに記述される種々の態様による無線通信環境において逆方向リンク通信リソースを調整し、そして、取得パイロットを生成しかつ伝送する例示のシステム１１００のブロック図である。１つの例では、システム１１００は、基地局又はアクセス・ポイントの１１０２を含んでいる。図示のように、アクセス・ポイント１１０２は、受信（Ｒｘ）アンテナ９０６によって１つ又は複数のアクセス端末９０４から信号を受信し、そして、送信（Ｔｘ）アンテナ９０８によって１つ又は複数のユーザ装置９０４に送信することができる。
【００６１】
さらに、アクセス・ポイント１１０２は、受信アンテナ１１０６から情報を受信する受信機１１１０を含むことができる。１つの例では、受信機１０１０は、受信情報を復調する復調器（Ｄｅｍｏｄ）１０１２、または実質的に任意の他の電子的器具と動作的に関連されてもよい。その後、復調されたシンボルは、プロセッサ１１１４によって分析することができる。プロセッサ１１１４は、符号クラスタ、アクセス端末割当て、それに関係したルックアップテーブル、固有の（unique）スクランブリング系列に関係する情報、及び／又は他の適当なタイプの情報を格納できるメモリ１１１６に結合されてもよい。アクセス・ポイント１１０２はまた、送信機１１２０から送信アンテナ１１０８によって１つ又は複数のアクセス端末１１０４へ送信するための信号を多重化できる変調器１１１８を含んでもよい。
【００６２】
次に、開示された主題の態様を可能にすることができるシステムが図１２及び１３に関連して記述される。そのようなシステムは、プロセッサ又は電子的機械、ソフトウエア、又はそれらの組合せ（例えば、ファームウエア）によってインプルメントされる機能を表わす機能ブロックでありうる機能ブロックを含んでもよい。
【００６３】
図１２は、本開示の態様による無線通信における取得パイロットに関係した変調系列の生成を可能にする例示のシステムのブロック図を示す。システム１２００は、少なくとも部分的に無線基地装置（例えば、アクセス・ポイント２１０）内に存在してもよい。システム１２００は、共同して作用できる電子的コンポーネントの論理的グループ分け１２１０を含む。１つの態様では、論理的グループ分け１２１０は、システム決定情報のNビット及び無線通信システム・スーパーフレーム・インデックスのＴビットを搬送する第１の取得パイロット系列を生成するための電子的コンポーネント１２１５；第１の取得パイロット系列で搬送される情報で第２の取得パイロット系列をスクランブルするための電子的コンポーネント１２２５；及び第１及び第２の取得パイロット系列を伝送するための電子的コンポーネント１２３５を含む。さらに、システム１２００は、無線通信システム時間が非同期モードで動作する場合に異種の擬似ランランダム系列を伝送するための電子的コンポーネント１２５５、及びシンボル及び符号のランダムな生成のための複数のレジスタを初期化するためのシステム時間のＴビットの値を利用するための電子的コンポーネント１２４５を含んでもよい。
【００６４】
システム１２００はまた、電子的コンポーネント１２１５、１２２５、１２３５、１２４５、１２５５と関連した機能を実行するための命令、ならびにそのような機能を実行している間に生成されうる測定されかつ計算されたデータを保持するメモリ１２６０を含んでもよい。メモリ１２６０の外側にあることとして示されたが、電子的コンポーネント１２１５、１２２５及び１２３５、１２４５及び１２５５のうちの１つ又はそれより多くがメモリ１２６０内に存在してもよいことが理解されるべきである。
【００６５】
図１３は、本開示の１つの態様による無線システムにおいて取得パイロット変調系列処理を可能にする例示のシステムのブロック図を示す。システム１３００は、少なくとも部分的に無線基地（例えば、アクセス・ポイント２１０）内に存在してもよい。システム１３００は、共同して作用できる電子的コンポーネントの論理的グループ分け１３１０を含む。１つの態様では、論理的グループ分け１３１０は、連続するパイロット及び制御変調系列を受信するための電子的コンポーネント１３１５であって、受信された信号のうちの１つ又はそれより多くをデスクランブルするための電子的コンポーネント１３１７及び変調系列を複数の符号系列仮説と相関させるための電子的コンポーネント１３１９をも含む電子的コンポーネント１３１５；処理利得を具体化するために変調系列を処理するための電子的コンポーネント１３２５；及び受信された変調系列のパケット境界を決定するための電子的コンポーネント１３３５を含む。
【００６６】
システム１３００はまた、電子的コンポーネント１３１５、１３２５，及び１３３５に関連した機能を実行するための命令、ならびにそのような機能を実行している間に生成されうる測定されかつ計算されたデータを保持するメモリ１３４０を含んでもよい。メモリ１３４０の外側にあることとして示されたが、電子部品１３１５、１３２５及び１３３５のうちの１つ又はそれより多くが、メモリ１３４０内に存在してもよいことが理解されるべきである。
【００６７】
ソフトウェア・インプリメンテーション（software implementation）の場合には、ここに記述された技術は、ここに記述された機能を実行するモジュール（例えば手順、機能、等）でインプリメントされてもよい。ソフトウェア符号は、メモリユニットに格納されかつプロセッサによって実行されてもよい。そのメモリユニットは、プロセッサ内でインプリメントされてもよく、あるいはプロセッサの外側でインプルメントされてもよく、その場合には、技術的に公知であるように種々の手段によってプロセッサに通信的に結合されうる。
【００６８】
ここに記述される種々の態様又は特徴は、方法、標準的なプログラミング及び／又はエンジニアリング技術を使用する方法、装置、又は製造品としてインプルメントされてもよい。ここに使用されるような用語「製造品」は、任意のコンピュータ読取り可能デバイス、キャリア、又は媒体からアクセス可能なコンピュータ・プログラムを包含するように意図されている。例えば、コンピュータ読取り可能媒体は、しかし、磁気記憶装置（例えば、ハードディスク、フロッピー（登録商標）ディスク、磁気ストリップ、等）、光ディスク（例えば、コンパクト・ディスク（ＣＤ）、デジタル・バーサタイル・ディスク（ＤＶＤ）、等）、スマート・カード及びフラッシュ・メモリ装置（例えば、ＥＲＲＯＭ、カード、ステイック、キードライブ、等）を含むことができるが、それらに限定されない。さらに、ここに記述された種々の記憶媒体は、情報を記憶するための１つ又は複数のデバイス及び／又は他の機械読取り可能媒体を表わしてもよい。用語「機械読取り可能媒体」は、命令及び／又データを格納すること、含むこと及び／又は搬送することが可能な無線チャネル及び種々の他の媒体を、それらに限定されることなしに、含んでもよい。
【００６９】
ここでそれが使用したように、用語「プロセッサ」はクラシカル・アーキテクチャ（classical architecture）又は量子コンピュータを指すことができる。クラシカル・アーキテクチャは、単一のコア・プロセッサ；ソフトウエア・マルチスレッド実行能力を有するシングル・プロセッサ；ソフトウエア・マルチスレッド実行能力を有するマルチコア・プロセッサ；ハードウエア・マルチスレッド技術を有するマルチコア・プロセッサ；パラレル・プラットフォーム；及び分散共有メモリを含むがそれらを含むことに限定されない。さらに、プロセッサは、ここに記載された機能を行なうように設計された集積回路、特定用途向け集積回路（ＡＳＩＣ）、デジタル信号プロセッサ（ＤＳＰ）、フィールドプログラム可能なゲートアレイ（ＦＰＧＡ）、プログラマブル論理コントローラ（ＰＬＣ）、コンプレックス・プログラマブル論理デバイス（ＣＰＬＤ）、個別ゲート又はトランジスタ・ロジック、個別ハードウェア部品、又はそれらの任意の組合せを指してもよい。量子コンピュータ・キテクチャは、ゲートをつけた又は自己形成量子ドット、核磁気共鳴プラットフォーム、超伝導ジョセフソン接合、等として具体化された量子ビットに基づいてもよい。プロセッサは、スペース使用を最適化するために又はユーザ設備の性能を増強することために、分子及び量子ドット基づいたトランジスタ、スイッチ及びゲートのような、しかしそれらに限定されない、ナノスケール・アーキテクチャを開発することができる。プロセッサはまた、演算装置の組合せ、例えば、ＤＳＰとマイクロプロセッサの組合せ、複数のマイクロプロセッサ、ＤＳＰコアと関連した１つ又は複数のマイクロプロセッサ、又は任意の他のこのような構成としてインプルメントされてもよい。
【００７０】
さらに、本明細書では、用語「メモリ」はデータ・ストア、アルゴリズム・ストア、およびイメージ・ストア、デジタル・ミュージック及びビデオ・ストア、チャート及びデータベースのような、しかしそれらに限定されない、他のインフォメーション・ストアを指す。ここに記述されたメモリ・コンポーネントは、揮発性メモリ又は不揮発性メモリであってもよく、又は揮発性及び不揮発性メモリの両方を含むことができることが認識されるだろう。例示としてかつ非限定として、不揮発性メモリは、読み出し専用メモリ（ＲＯＭ）、プログラマブルＲＯＭ（ＰＲＯＭ）、電気的にプログラム可能なＲＯＭ（ＥＰＲＯＭ）、電気的に抹消可能なＲＯＭ（ＥＥＰＲＯＭ）、又はフラッシュ・メモリを含むことができる。揮発性メモリは、外部キャッシュ・メモリとして働くメモリランダムアクセスメモリ（ＲＡＭ）を含むことができる。例示としてかつ非限定として、ＲＡＭは、同期式ＲＡＭ、ダイナミックＲＡＭ、同期式ＤＲＡＭ、ダブルデータレートＳＤＲＡＭ（ＤＤＲ SDRAM）、エンハンスドＳＤＲＡＭ（ＥＳＤＲＡＭ）、シンクリンクＤＲＡＭ（ＳＬＤＲＡＭ）、及びダイレクトラムバスＲＡＭ（ＤＲＲＡＭ）のような多くの形式で利用可能である。さらに、ここにおけるシステム及び／又は方法の開示されたメモリ・コンポーネントは、これらの及び任意の他の適当なタイプのメモリを、それらに限定されることなく、含むことを意図されている。
【００７１】
上記に記述されたものは、１つ又は複数の実施の形態の例を含む。前述の実施の形態について記述する目的のためにコンポーネントか方法論のすべての考えられる組合せを記述することは勿論できないが、種々の実施の形態の他の組合せ及び置換が可能であることを当業者は認識しうる。従って、記述された実施の形態は、添付請求項の精神及び範囲以内にある全ての変更、修正及び変形をすべて包含するように意図される。さらに、用語が「含む」（includes）が詳細な説明又は請求項で使用される程度まで、その用語は、用語「備える」（comprising）が請求項の遷移部分で使用される場合に解釈されるのと同様の態様において包括的であるように意図されている。
【００７２】
関連出願に対する相互参照
本出願は、２００６年１０月２４日に申請された「無線通信システムのための取得パイロット」（ACQUISITION PILOTS FOR WIRELESS COMMUNICATION SYSTEMS）という名称の米国仮出願第６０／８６２，７３０号の利益を請求する。
【図１】
2010507999.tif 000003
【図２】
2010507999.tif 000004
【図３】
2010507999.tif 000005
【図４】
2010507999.tif 000006
【図５】
2010507999.tif 000007
【図６】
2010507999.tif 000008
【図７】
2010507999.tif 000009
【図８】
2010507999.tif 000010
【図９】
2010507999.tif 000011
【図１０】
2010507999.tif 000012
【図１１】
2010507999.tif 000013
【図１２】
2010507999.tif 000014
【図１３】
2010507999.tif 000015
【国際調査報告】
2010507999.tif 000016
2010507999.tif 000017